(57)【特許請求の範囲】
【請求項１】
モータ軸線方向で開口するロータ配置穴を備えた筒状のステータと、前記ロータ配置穴に配置されたロータと、モータ軸線方向における反出力側で前記ロータの回転軸の一方側軸端を支持する軸受と、該軸受が装着された貫通穴を備えた軸受ホルダと、該軸受ホルダよりもさらに一方端側に配置され、前記軸受を前記回転軸に向けて付勢する板バネ部を備えた与圧付与部材と、前記ステータの出力側端面に重ねられたモータ取り付け板とを有するモータの製造方法において、
前記モータ取り付け板は、モータ軸線方向に延びた水平板部と、該水平板部の端部から垂直に折れ曲がった垂直板部とを備えているとともに、前記垂直板部と前記水平板部との折れ曲がり部分に切り欠きを形成しておき、
前記ステータを、モータ出力軸方向に重ねて配置された出力側ステータ組と反出力側ステータ組とから構成するとともに、前記出力側ステータ組と前記反出力側ステータ組とでは、モータ軸線方向における外側に配置された外ステータコア同士、コイル同士、およびモータ軸線方向における内側で前記コイルを前記外ステータコアとの間に挟む内ステータコア同士を各々、同一構造の部品から構成し、かつ、前記外ステータコアの端面には、前記ロータ配置穴の周りでモータ軸線方向の外側に向けて突出するスポット溶接用の突起を４つ以上形成しておき、
前記反出力側ステータ組で反出力側端面を構成する前記外ステータコアに前記軸受ホルダを押圧した状態で通電して前記４つ以上の突起を全て用いてスポット溶接を行う軸受ホルダ固定工程と、
前記出力側ステータ組で出力側端面を構成する前記外ステータコアに前記モータ取り付け板の前記垂直板部を押圧した状態で通電して前記４つ以上の突起のうち、前記切り欠きと重ならない少なくとも３つの突起を用いてスポット溶接を行い、前記切り欠きと重なる箇所には前記突起を残すモータ取り付け板固定工程と
を行うことを特徴とするモータの製造方法。
【請求項２】
請求項１において、前記ステータコアに形成する前記突起は４つであり、
前記与圧付与部材には、外周縁から出力側に向けて突出した４つの爪部を周方向で離間した位置に形成する一方、
前記軸受ホルダには、出力側端面の外周側領域を反出力側に凹ませて前記爪部が係合可能とした係合凹部を形成するとともに、前記係合凹部について周方向で４つの領域に分割して形成し、
前記軸受ホルダ固定工程では、当該分割により前記係合凹部の間に形成された領域で前記スポット溶接を行うことを特徴とするモータの製造方法。
【請求項３】
請求項２において、前記軸受ホルダは、前記モータ軸線方向からみたとき概ね、四角形状を有し、
当該四角形状の辺に相当する領域の一部に前記係合凹部が形成され、
前記軸受ホルダ固定工程では、当該四角形状の角に相当する領域で前記スポット溶接を行うことを特徴とするモータの製造方法。
【請求項４】
モータ軸線方向で開口するロータ配置穴を備えた筒状のステータと、前記ロータ配置穴に配置されたロータと、モータ軸線方向における反出力側で前記ロータの回転軸の一方側軸端を支持する軸受と、該軸受が装着された貫通穴を備えた軸受ホルダと、該軸受ホルダよりもさらに一方端側に配置され、前記軸受を前記回転軸に向けて付勢する板バネ部を備えた与圧付与部材と、前記ステータの出力側端面に重ねられたモータ取り付け板とを有するモータにおいて、
前記モータ取り付け板は、モータ軸線方向に延びた水平板部と、該水平板部の端部から垂直に折れ曲がった垂直板部とを備えているとともに、前記垂直板部と前記水平板部との折れ曲がり部分には切り欠きが形成されており、
前記ステータは、モータ出力軸方向に重ねて配置された出力側ステータ組と反出力側ステータ組とから構成されているとともに、前記出力側ステータ組と前記反出力側ステータ組とでは、モータ軸線方向における外側に配置された外ステータコア同士、コイル同士、およびモータ軸線方向における内側で前記コイルを前記外ステータコアとの間に挟む内ステータコア同士が各々、同一構造の部品から構成され、
前記反出力側ステータ組で反出力側端面を構成する前記外ステータコアと前記軸受ホルダとは、前記ロータ配置穴の周りにおいて４箇所以上でスポット溶接が施され、
前記出力側ステータ組で出力側端面を構成する前記外ステータコアと前記モータ取り付け板の前記垂直板部とは、前記ロータ配置穴の周りにおいて、反出力側での溶接箇所に対応する４箇所以上のうち、前記切り欠きと重ならない少なくとも３箇所でスポット溶接が施され、前記切り欠きと重なる他の箇所には、当該外ステータコアから出力側に突出するスポット溶接用の突起が位置していることを特徴とするモータ。
【請求項５】
請求項４において、前記反出力側ステータ組で反出力側端面を構成する前記外ステータコアと前記軸受ホルダとは前記ロータ配置穴の周りにおいて４箇所でスポット溶接され、
前記与圧付与部材には、外周縁から出力側に向けて突出した４つの爪部が周方向で離間した位置に形成され、
前記軸受ホルダには、出力側端面の外周側領域を反出力側に凹ませて前記爪部が係合可能とした係合凹部が形成され、
前記係合凹部は、周方向で４つの領域に分割して形成されているとともに、当該分割により前記係合凹部の間に形成された領域に前記スポット溶接が施されていることを特徴とするモータ。
【請求項６】
請求項５において、前記軸受ホルダは、前記モータ軸線方向からみたとき概ね、四角形状を有し、
当該四角形状の辺に相当する領域の一部に前記係合凹部が形成され、
当該四角形状の角に相当する領域に前記スポット溶接が施されていることを特徴とするモータ。
【発明の詳細な説明】
【技術分野】
【０００１】
本発明は、モータの製造方法およびモータに関するものである。さらに詳しくは、ステータに対する軸受ホルダおよびモータ取り付け板の固定技術に関するものである。
【背景技術】
【０００２】
デジタルカメラ、デジタルビデオカメラ、ＦＤＤ、ＯＤＤなどに用いられるステッピングモータは、一般に、筒状のステータにおいてモータ軸線方向で開口するロータ配置穴の内側にロータが配置されており、回転軸の一方の軸端は、球体を介して軸受で支持されている。ここで、軸受は、軸受ホルダの貫通穴内に挿入されており、軸受ホルダよりもさらに一方端側に配置された与圧付与部材の板バネ部によって回転軸に向けて付勢されている。ここで、与圧付与部材には２本の爪部が延びている一方、軸受ホルダの出力側端面には、軸受ホルダの反出力側端面に与圧付与部材を重ねた状態で与圧付与部材を回転させると爪部が引っ掛かる係合部が形成されており、このような爪部と係合部とによって、与圧付与部材は軸受ホルダに保持される。また、ステータの出力側端面には、モータを機器に搭載するときに用いられるモータ取り付け板が固定されており、このモータ取り付け板は、モータ軸線方向に延びた水平板部の端部から垂直板部が垂直に折れ曲がった形状を有している（特許文献１参照）。
【特許文献１】特開２００３−２９９２９８号公報
【発明の開示】
【発明が解決しようとする課題】
【０００３】
このようなモータでは、ステータの出力側端面に突起を設けておき、モータ取り付け板の垂直板部をステータの出力側端面に重ねた状態で通電し、突起を使用してスポット溶接を行いモータ取り付け板をステータに固定した構造が採用されることが多い。この場合、モータ取り付け板とステータとの溶接は、その安定性を確保するのに少なくとも３箇所で行う必要があるので、突起を３箇所に形成することになる。ここで、モータ取り付け板は、モータを各種機器へ取り付けるのに用いられる。このため、モータの端子位置などによりモータを取り付ける機器によっては、モータ取り付け板のモータへの取り付け角度やモータ取り付け板の形状を変えることがあり、その際、例えば、３つの突起のうちの１つが垂直板部と水平板部との折れ曲がり部分に位置することになった場合、そこに切り欠きを形成して垂直板部をステータの出力側端面に重ねることになるが、このような構成では、位置決めや溶接が２箇所でしかできないことになる。それ故、従来は、機種毎に突起の形成位置を変える必要があり、このような設計変更は、製造コストを増大させる原因となるという出力側での問題点がある。
【０００４】
一方、ステータは、モータ出力軸方向に重ねて配置された出力側ステータ組と反出力側ステータ組とから構成されており、出力側ステータ組および反出力側ステータ組は各々、モータ軸線方向における外側に配置された外ステータコアと、コイルと、モータ軸線方向における内側でコイルを外ステータコアとの間に挟む内ステータコアとを備えている。また、ステータの出力側端面は、出力側ステータ組の外ステータコアによって構成されているので、ステータの出力側端面に突起を設ける場合、出力側ステータ組の外ステータコアに突起を形成することになる。
【０００５】
ここで、出力側ステータ組と反出力側ステータ組とでは、モータ軸線方向における外側に配置された外ステータコア同士、コイル同士、および内ステータコア同士が各々、同一構造の部品から構成すれば製造コストを低減できるとともに、出力側ステータ組と反出力側ステータ組とを同一ロットの部品で構成でき、磁気的なバランスが向上する。
【０００６】
しかしながら、出力側ステータ組と反出力側ステータ組とを外ステータコア同士、同一構造とした場合に、出力側ステータ組の外ステータコアに３つの突起を形成すると、反出力側ステータ組の外ステータコアにも３つの突起が形成されることになり、出力側ステータ組の外ステータコアに軸受けホルダを固定する際、突起が邪魔になるため、出力側ステータ組と反出力側ステータ組とで外ステータコア、コイル、および内ステータコアを同一構造の部品で構成するのが困難である。
【０００７】
以上の問題点に鑑みて、本発明の課題は、モータ取り付け板とステータとの取り付け角度などが変更になっても外ステータコアを設計変更することなく、少なくとも３箇所でのスポット溶接を行うことができ、かつ、出力側ステータ組および反出力側ステータ組で外ステータコアを同一構造の部品を使用可能とするモータの製造方法、およびモータを提案することにある。
【課題を解決するための手段】
【０００８】
上記課題を解決するために、本発明では、モータ軸線方向で開口するロータ配置穴を備えた筒状のステータと、前記ロータ配置穴に配置されたロータと、モータ軸線方向における反出力側で前記ロータの回転軸の一方側軸端を支持する軸受と、該軸受が装着された貫通穴を備えた軸受ホルダと、該軸受ホルダよりもさらに一方端側に配置され、前記軸受を前記回転軸に向けて付勢する板バネ部を備えた与圧付与部材と、前記ステータの出力側端面に重ねられたモータ取り付け板とを有するモータの製造方法において、前記モータ取り付け板は、モータ軸線方向に延びた水平板部と、該水平板部の端部から垂直に折れ曲がった垂直板部とを備えているとともに、前記垂直板部と前記水平板部との折れ曲がり部分に切り欠きを形成しておき、前記ステータを、モータ出力軸方向に重ねて配置された出力側ステータ組と反出力側ステータ組とから構成するとともに、前記出力側ステータ組と前記反出力側ステータ組とでは、モータ軸線方向における外側に配置された外ステータコア同士、コイル同士、およびモータ軸線方向における内側で前記コイルを前記外ステータコアとの間に挟む内ステータコア同士を各々、同一構造の部品から構成し、かつ、前記外ステータコアの端面には、前記ロータ配置穴の周りでモータ軸線方向の外側に向けて突出するスポット溶接用の突起を４つ以上形成しておき、前記反出力側ステータ組で反出力側端面を構成する前記外ステータコアに前記軸受ホルダを押圧した状態で通電して前記４つ以上の突起を全て用いてスポット溶接を行う軸受ホルダ固定工程と、前記出力側ステータ組で出力側端面を構成する前記外ステータコアに前記モータ取り付け板の前記垂直板部を押圧した状態で通電して前記４つ以上の突起のうち、前記切り欠きと重ならない少なくとも３つの突起を用いてスポット溶接を行い、前記切り欠きと重なる箇所には前記突起を残すモータ取り付け板固定工程とを行うことを特徴とする。
【０００９】
このような方法で製造したモータでは、前記モータ取り付け板は、モータ軸線方向に延びた水平板部と、該水平板部の端部から垂直に折れ曲がった垂直板部とを備えているとともに、前記垂直板部と前記水平板部との折れ曲がり部分には切り欠きが形成されており、前記ステータは、モータ出力軸方向に重ねて配置された出力側ステータ組と反出力側ステータ組とから構成されているとともに、前記出力側ステータ組と前記反出力側ステータ組とでは、モータ軸線方向における外側に配置された外ステータコア同士、コイル同士、およびモータ軸線方向における内側で前記コイルを前記外ステータコアとの間に挟む内ステータコア同士が各々、同一構造の部品から構成され、前記反出力側ステータ組で反出力側端面を構成する前記外ステータコアと前記軸受ホルダとは前記ロータ配置穴の周りにおいて４箇所以上でスポット溶接が施され、前記出力側ステータ組で出力側端面を構成する前記外ステータコアと前記モータ取り付け板の前記垂直板部とは、前記ロータ配置穴の周りにおいて、反出力側での溶接箇所に対応する４箇所以上のうち、前記切り欠きと重ならない少なくとも３箇所でスポット溶接が施され、前記切り欠きと重なる他の箇所には、当該外ステータコアから出力側に突出するスポット溶接用の突起が位置していることを特徴とする。
【００１０】
本願においては、回転軸が突出している側を出力側といい、回転軸が突出している側とは反対側を反出力側という。
【００１１】
本発明では、出力側ステータ組で出力側端面を構成する外ステータコアには出力側に突出する４つ以上のスポット溶接用の突起が形成されているため、少なくとも３箇所での溶接が可能である。すなわち、ステータに対するモータ取り付け板の取り付け角度が変って突起の一部が溶接を行えない場所に位置するようになった場合でも、外ステータコアには４つ以上のスポット溶接用の突起が形成されているため、残り３つの突起を用いて溶接を行うことができる。従って、外ステータコアを設計変更しなくても、種々のモータ取り付け板を安定した状態に固定することができる。ここで、出力側ステータ組と反出力側ステータ組を構成する外ステータコア同士、コイル同士、および内ステータコア同士を各々、同一構造の部品から構成しようとすると、反出力側ステータ組で反出力側端面を構成する外ステータコアにも４つ以上の突起が形成されることになるが、本発明では、ステータの反出力側端面を構成する外ステータコアと軸受ホルダとの間では４つ以上の突起の全てを用いてスポット溶接を行う。このため、ステータの反出力側端面に軸受ホルダを重ねることができるので、出力側ステータ組と反出力側ステータ組を構成する外ステータコア同士、コイル同士、および内ステータコア同士を各々、同一構造の部品から構成することができる。
【００１２】
より具体的には、本発明においては、モータ取り付け板は、モータ軸線方向に延びた水平板部と、該水平板部の端部から垂直に折れ曲がった垂直板部とを備えているとともに、前記垂直板部と前記水平板部との折れ曲がり部分には切り欠きが形成されている。このため、垂直板部と水平板部との折れ曲がり部分ではスポット溶接が行えないが、折れ曲がり部分には切り欠きが形成されているので、かかる折れ曲がり部分に突起が位置しても、他の箇所でのスポット溶接に支障がない。
【００１４】
本発明において、前記ステータコアに形成する前記突起が４つである場合、前記与圧付与部材には、外周縁から出力側に向けて突出した４つの爪部を周方向で離間した位置に形成する一方、前記軸受ホルダには、出力側端面の外周側領域を反出力側に凹ませて前記爪部が係合可能とした係合凹部を形成するとともに、前記係合凹部について周方向で４つの領域に分割して形成し、前記軸受ホルダ固定工程では、当該分割により前記係合凹部の間に形成された領域で前記スポット溶接を行うことが好ましい。このように構成すると、軸受ホルダの外周側において係合凹部が占有する面積が狭いので、４つに分割した係合凹部の間、あるいは４つに分割した係合凹部の間近傍にスポット溶接箇所を確保することができる。
【００１５】
本発明において、前記軸受ホルダは、前記モータ軸線方向からみたとき概ね、四角形状を有している場合、当該四角形状の辺に相当する領域の一部に前記係合凹部を形成し、前記軸受ホルダ固定工程では、当該四角形状の角に相当する領域で前記スポット溶接を行うことが好ましい。このように構成すると、軸受ホルダの係合凹部の間に広いスペースを確保できるので、軸受ホルダの外周側領域にスポット溶接箇所を確保することができる。
【発明の効果】
【００１６】
本発明では、ステータに対するモータ取り付け板の取り付け角度が変って突起の一部が溶接を行えない場所に位置するようになった場合でも、外ステータコアには４つ以上のスポット溶接用の突起が形成されているため、残り３つの突起を用いて溶接を行うことができる。従って、外ステータコアを設計変更しなくても、種々のモータ取り付け板を安定した状態に固定することができる。ここで、出力側ステータ組と反出力側ステータ組を構成する外ステータコア同士、コイル同士、および内ステータコア同士を各々、同一構造の部品から構成しようとすると、反出力側ステータ組で反出力側端面を構成する外ステータコアにも４つ以上の突起が形成されることになるが、本発明では、ステータの反出力側端面を構成する外ステータコアと軸受ホルダとの間では４つ以上の突起の全てを用いてスポット溶接を行う。このため、ステータの反出力側端面に軸受ホルダを重ねることができるので、出力側ステータ組と反出力側ステータ組を構成する外ステータコア同士、コイル同士、および内ステータコア同士を各々、同一構造の部品から構成することができる。それ故、モータのコストを低減できる。また、出力側ステータ組と反出力側ステータ組とを同一ロットの部品で構成できるので、磁気的なバランスが向上する。
【発明を実施するための最良の形態】
【００１７】
以下に、図面を参照して、本発明の実施の形態を説明する。
【００１８】
（全体構成）
図１は、本発明を適用したステッピングモータの断面図である。
【００１９】
この図に示すように、本形態のモータ１は、デジタルカメラ、デジタルビデオカメラ、ＦＤＤ、ＯＤＤなどに用いられる小型のＰＭ型ステッピングモータであり、回転軸２１を備えるロータ２と、このロータ２の基端側が同軸状に配置されているロータ配置穴３０を備えるステータ３とを有している。
【００２０】
ステータ３は、反出力側のステータ組４Ａと出力側のステータ組４Ｂ（出力側ステータ組）とから構成され、これらのステータ組４Ａ、４Ｂは、モータ軸線Ｌの方向に重ねて２相構造に配設されている。ステータ組４Ａ、４Ｂはいずれも、外ステータコア４１と、コイル４２が巻回されている環状のボビン４３と、このボビン４３を外ステータコア４１との間に挟む内ステータコア４４とを備え、内ステータコア４４の端面同士が固着されている。外ステータコア４１および内ステータコア４４の内周縁からは、複数本の極歯４１１、４４１が起立しており、これら極歯４１１、４４１は、ボビン４３の内周面に沿って周方向に交互に並んだ構成となっている。このようにして、ロータ配置穴３０を備えた円筒状のステータ３が構成されており、このロータ配置穴３０の内側には、ロータ２の基端側が同軸状に配置されている。ロータ２は、回転軸２１の基端側の周りに、周方向に分極着磁されたロータマグネット２２を備えており、このロータマグネット２２は、ロータ配置穴３０の内側において、ステータの極歯４１１、４４１と所定の間隔を介して対向している。本形態では、外ステータコア４１の外周部分および底部分によって円筒状のケース１０が構成され、かかるケース１０の内部に、コイル４２、内ステータコア４４、および外ステータコア４４１を備えたステータ３と、ロータ２の基端側とが配置されている。
【００２１】
ここで、反出力側のステータ組４Ａと、出力側のステータ組４Ｂとでは、外ステータコア４１同士、コイル４２同士、ボビン４３同士、および内ステータコア４４同士各々、同一の構造をもった部品が用いられている。
【００２２】
反出力側のステータ組４Ａにおいて、外ステータコア４１の反出力側には、反出力側軸受７が配置されており、この反出力側軸受７は鋼球７１を介して回転軸２１の反出力側端部を支持している。また、ステータ３に対して反出力側には、ステータ３と少なくとも一部が重なるように、焼結体からなる板状の軸受ホルダ８が配置され、反出力側軸受７は、軸受ホルダ８の貫通穴８０に挿入された状態にある。さらに、軸受ホルダ８よりさらに反出力側には、金属薄板からなるバネ部材９が配置され、このバネ部材９において切り起こされた板バネ部９０は、貫通穴８０内の反出力側軸受７の端部を回転軸２１に向けて付勢している。ここで、板バネ部９０は、反出力側軸受７の中心からずれた位置に当接している。
【００２３】
出力側のステータ組４Ｂにおいて、外ステータコア４１の出力側には、断面コの字状の金属製のモータ取り付け板６が配置されており、モータ取り付け板６は、モータ軸線方向に延びた水平板部６３と、水平板部６３の反出力側端部で垂直に折り曲げられた基端側垂直板部６１と、水平板部６３の出力側端部で垂直に折り曲げられて基端側垂直板部６１と対向する先端側垂直板部６２とを備えている、回転軸２１は、基端側垂直板部６１に形成された穴６１０を貫通し、その先端部は、鋼球５１を介して、先端側垂直板部６２に保持された出力側軸受５に支持されている。モータ取り付け板６において、水平板部６３は、各種機器へモータを取り付けるための固定板として用いられる。回転軸２１の出力側外周面部分にはリードスクリュー溝２５が形成され、このリードスクリュー溝２５に係合する機器側の被送り体（図示せず）を、回転軸２１の回転に伴い、モータ軸線Ｌの方向（スラスト方向）へ移動させるようになっている。
【００２４】
（反出力側の詳細構成）
図２（ａ）、（ｂ）は、図１に示すステッピングモータ１の反出力側を分解して示す分解斜視図、および軸受ホルダ８の出力側端面の構造を示す斜視図である。図３（ａ）ないし（ｃ）は、図１に示すステッピングモータ１の軸受ホルダ８の出力側端面の構成を示す平面図、縦断面図、および反出力側端面の構成を示す底面図である。図４（ａ）ないし（ｃ）は、図１に示すステッピングモータ１のバネ部材９を示す平面図、そのＩ−Ｉ線で切断した部分の縦断面図、および板バネ部９０の部分の断面図である。
【００２５】
本形態では、軸受ホルダ８およびバネ部材９をステータ４の反出力側に固定するにあたって、以下の構造が採用されている。
【００２６】
まず、図２（ａ）に示すように、外ステータコア４１は、ケース１０の反出力側端面を構成する略円環状の底板部分４１２と、ケース１０の外周面に当たる外周面部分４１３と、底板部分４１２の中央穴の内周縁で起立する複数の極歯４１１とを備えている。
【００２７】
ここで、外ステータコア４１の底板部分４１２（ステータ３の反出力側端面）には、反出力方向に突出する４つの突起４５１（スポット溶接用の突起）がロータ配置穴３０の周りに形成されている。これらの突起４５１は、モータ軸線Ｌを中心に略９０度間隔で形成されている。
【００２８】
次に、図２（ａ）、（ｂ）および図３（ａ）ないし（ｃ）に示すように、軸受ホルダ８は焼結体であり、その平面形状は、モータ軸線Ｌに直交する２方向の辺を備えた略四角形状を備えている。ここでいう略四角形状とは、本形態のようにその隅部にＲを付与した形状も含む意味である。軸受ホルダ８の中心には、反出力側軸受７が挿入される円形の貫通穴８０が形成されている。軸受ホルダ８からは半径方向外側に溝８１が延びており、反出力側のステータ組４Ａの外ステータコア４１と軸受ホルダ８とのスポット溶接時、外ステータコア４１の隣接する極歯４１１の間と溝８１とに位置決めピン（図示せず）を差し込むことにより、外ステータコア４１に対する軸受ホルダ８の位置決めを行うことができるようになっている。なお、位置決めピンの太さ（外径）は、位置決めの際に極歯４１１に接触しないように、極歯４１１の間隔よりも小さく設定されている。
【００２９】
軸受ホルダ８の出力側端面の外周側には、四角形状の辺に相当する部分の中央に、反出力側に凹む４つの係合凹部８２１、８２２、８２３、８２４が周方向に分割された状態に形成されている。また、軸受ホルダ８において、貫通穴８０の周り（すなわち、ロータ配置穴３０の周り）のうち、係合凹部８２１、８２２、８２３、８２４の各間の部分（四角形の角部分）には、外ステータコア４１の突起４５１を用いてスポット溶接を行うための４つの溶接予定領域８５が平坦面として確保されている。
【００３０】
従って、モータ１を組み立てる際、軸受ホルダ８の４つの溶接予定領域８５に外ステータコア４１の４つの突起４５１が各々当接するように外ステータコア４１に軸受ホルダ８を重ね、双方を加圧しながら通電すれば、４つの突起４５１の全てを用いてスポット溶接を施すことができ、それにより、ステータ３に軸受ホルダ８を固定することができる。
【００３１】
図２、図４（ａ）ないし（ｃ）に示すように、バネ部材９は、略円形の端板部９１を備えており、この端板部９１の中央部分では、軸受ホルダ８が位置する側に向けて板バネ部９０が切り起こされている。板バネ部９０は、先端部で折り曲げられており、その付勢力や付勢方向が調整されている。
【００３２】
また、端板部９１の縁部の４箇所には、出力側に突出して軸受ホルダ８の外周側面を回り込んだ後、係合凹部８２１、８２２、８２３、８２４に係合する４つの爪部９２１、９２２、９２３、９２４が形成されている。ここで、４つの爪部９２１、９２２、９２３、９２４は、その端部に内側への折れ曲がり部分を備えているので、バネ部材９の端板部９１を軸受ホルダ８に重ねると、４つの爪部９２１、９２２、９２３、９２４は各々、軸受ホルダ８の外周側面を回り込み、折れ曲がりが係合凹部８２１、８２２、８２３、８２４に係合することになる。この状態で、４つの爪部９２１、９２２、９２３、９２４は、４つの係合凹部８２１、８２２、８２３、８２４に各々弾性をもって係合するので、バネ部材９は、軸受ホルダ８に固定された状態となる。なお、軸受ホルダ８の反出力側では、４つの係合凹部８２１、８２２、８２３、８２４に対応する箇所などがテーパ面となっており、バネ部材９を軸受ホルダ８に固定した状態で、バネ部材９の爪部９２１〜９２４の根元が軸受ホルダ８に当接しないようになっている。また、軸受ホルダ８およびバネ部材９は、モータ軸線Ｌに直交する２方向の寸法が等しいので、バネ部材９を前後左右いずれの方向に向けても軸受ホルダ８に固定できるようになっている。
【００３３】
（出力側の詳細構成）
図５は、図１に示すステッピングモータ１の出力側を分解して示す分解斜視図である。図６（ａ）ないし（ｄ）は、図１に示すステッピングモータ１のモータ取り付け板を示す平面図、縦断面図、底面図、および側面図である。
【００３４】
本形態では、モータ取り付け板６を出力側に固定するにあたって、以下の構造が採用されている。
【００３５】
まず、図５に示すように、出力側のステータ組４Ｂに用いられている外ステータコア４１は、上述した反出力側のステータ組４Ａの外ステータコア４１と同一構成であるので、その詳細な説明は省略するが、ケース１０の出力側端面を構成する底板部分４１２には、出力側に突出する４つの突起４５２（スポット溶接用の突起）がロータ配置穴３０の周りに形成され、これらの突起４５２は、モータ軸線Ｌを中心に略９０度間隔で形成されている。
【００３６】
図５、図６（ａ）ないし（ｄ）に示すように、モータ取り付け板６において、先端側垂直板部６２は略半円形形状を備えており、その中心部分には、出力側軸受５を保持する穴６２０が形成されている。水平板部６３は、各種機器へモータ１を取り付けるための取付け部分とされ、各種機器へ取り付けるための複数の取付け穴６３１が形成されている。
【００３７】
基端側垂直板部６１は、外ステータコア４１の底板部分４１２と略同一輪郭をした略半円形形状を備えている。基端側垂直板部６１の中心部分には、回転軸２１を通すための円形の穴６１０が形成されている。また、基端側垂直板部６１にはピン穴６８が形成されており、出力側のステータ組４Ｂの外ステータコア４１とモータ取り付け板６とのスポット溶接時、外ステータコア４１の隣接する極歯４１１の間とピン穴６８とに位置決めピン（図示せず）を差し込むことにより、外ステータコア４１に対するモータ取り付け板６の位置決めを行うことができるようになっている。なお、位置決めピンの太さ（外径）は、位置決めの際に極歯４１１に接触しないように、極歯４１１の間隔よりも小さく設定されている。
【００３８】
さらに、基端側垂直板部６１では、穴６１０の周り（すなわち、ロータ配置穴３０の周り）に、外ステータコア４１の４つの突起４５２のうち、３つの突起４５２を用いてスポット溶接を行うための３つの溶接予定領域６５が平坦面として確保されている。また、基端側垂直板部６１と水平板部６３との折り曲げ部分において、残り１つの突起４５２と重なる位置には、この突起４５２が当たらないように逃がすための切り欠き６６が形成されている。
【００３９】
従って、モータ１を組み立てた際、モータ取り付け板６の３つの溶接予定領域６５に外ステータコア４１の３つの位置決め用の突起４５２が各々当接するように外ステータコア４１にモータ取り付け板６を重ね、双方を加圧しながら通電すれば、４つの突起４５２のうち、３つの突起４５２を用いてスポット溶接を施すことができ、それにより、ステータ３にモータ取り付け板６を固定することができる。その際、モータ取り付け板６の折り曲げ部に位置する突起４５２は、溶接予定領域を形成できない位置にあるが、そこには切り欠き６６が形成されているので、突起４５２を切り欠き６６で逃がすことができる。それ故、外ステータコア４１にモータ取り付け板６を重ねた状態でのスポット溶接により、ステータ３にモータ取り付け板６を固定することができる。
【００４０】
ここで、モータ取り付け板６のステータ３への取り付け角度は、ステッピングモータ１の端子位置などによりモータを取り付ける機器に応じて変更される。従って、４つの突起４５２のいずれもが、モータ取り付け板６の基端側垂直板部６２において折り曲げ部分を避けた領域に位置する場合には、これら４つの突起４５２が重なる位置に４つの溶接予定領域６５を形成すればよい。
【００４１】
（モータの製造方法）
本形態のモータ１は、上記の構成を有するため、その製造方法では、ステータ４を、モータ出力軸方向に重ねて配置された出力側のステータ組４Ｂと反出力側のステータ組４Ａとから構成するとともに、ステータ組４Ａ、４Ｂでは、外ステータコア４１同士、コイル４２同士、および内ステータコア４４同士を各々、同一構造の部品から構成し、かつ、外ステータコア４１の端面には、ロータ配置穴の周りでモータ軸線方向の外側に向けて突出するスポット溶接用の突起４５１、４５２を４つ形成しておき、軸受ホルダ固定工程およびモータ取り付け板固定工程においてスポット溶接を行う。その際、軸受ホルダ８の溝８１およびモータ取り付け板６のピン穴６８の各々に位置決めピン（図示せず）を差し込み、ステータ４に対する軸受ホルダ８およびモータ取り付け板６の位置決めを行う。
【００４２】
すなわち、軸受ホルダ固定工程では、軸受ホルダ８の溝８１に反出力側から位置決めピンを差し込み、位置決めピンの先端部を極歯４１１の間に挿入することにより、反出力側のステータ組４Ａの外ステータコア４１と軸受ホルダ８との位置決めを行い、しかる後に、外ステータコア４１に軸受ホルダ８を押圧した状態で通電して４つ以上の突起４５１を全て用いてスポット溶接を行う。スポット溶接後は、位置決めピンを引き抜く。
【００４３】
一方、モータ取り付け板固定工程では、モータ取り付け板６のピン穴６８に出力側から位置決めピンを差し込み、位置決めピンの先端部を極歯４１１の間に挿入することにより、出力側のステータ組４Ｂの外ステータコア４１とモータ取り付け板６との位置決めを行い、しかる後に、外ステータコア４１にモータ取り付け板６を押圧した状態で通電して少なくとも３つの突起４５１を用いてスポット溶接を行う。スポット溶接後は、位置決めピンを引き抜く。
【００４４】
軸受ホルダ固定工程およびモータ取り付け板固定工程の終了後、反出力側から軸受ホルダ８の貫通穴８０を介して、ロータ配置穴３０内にロータ２を挿入し、ロータ配置穴３０の内側にロータ２の基端側を配置した後に、鋼球７１、反出力側軸受７、およびバネ部材９を取り付ける。
【００４５】
（本形態の効果）
以上説明したように、本形態のステッピングモータ１において、出力側のステータ組４Ｂで出力側端面を構成する外ステータコア４１には出力側に突出する４つの突起４５２が形成されているため、モータを搭載する機器によって、ステータ３に対するモータ取り付け板６の取り付け角度が変って、４つの突起４５２のうちの一部が溶接できない場所に位置するような場合でも、残り３つの突起４５２を用いてスポット溶接を行うことができる。また、基端側垂直板部６１において折り曲げ部分を避けた領域に４つの溶接予定領域６５を確保できるモータ取り付け板６を用いる場合には、４つの溶接予定領域６５の各々において突起４５２を用いてスポット溶接を行えばよい。従って、外ステータコア４１を設計変更しなくても、各種機器にステッピングモータ１を搭載することができる。
【００４６】
また、本形態では、軸受ホルダ８は、４つの突起４５１の全てを用いて外ステータコア４１と溶接されているため、出力側のステータ組４Ｂで出力側端面を構成する外ステータコア４１に４つの突起４５２が形成されていても、ステータ組４Ｂで出力側端面に軸受ホルダ８を重ねた状態で固定することができる。それ故、反出力側のステータ組４Ａと出力側のステータ組４Ｂとでは、外ステーコア４１同士、コイル４２同士、ボビン４３同士、および内ステータコア４４同士を各々、同一構造の部品から構成することができ、部品の標準化を図ることができる。また、磁気的なバランスを向上させることができる。
【００４７】
ここで、与圧付与部材９では、その外周縁から出力側に向けて突出した４つの爪部９２１、９２２、９２３、９２４が周方向で離間した位置に形成され、軸受ホルダ８には、爪部９２１、９２２、９２３、９２４が係合可能とした係合凹部８２１、８２２、８２３、８２４が形成されているが、４つの係合凹部８２１、８２２、８２３、８２４は、軸受ホルダ８の辺のうち、約２／３に相当する部分のみに分割して形成されている。このため、軸受ホルダ８の外周側において係合凹部８２１、８２２、８２３、８２４が占有する面積が狭く、かつ、４つの係合凹部８２１、８２２、８２３、８２４の間には広いスペースが確保されている。このため、四角形状の角に相当する領域のうち、軸受ホルダ８の外周寄りの位置に溶接予定領域８６を確保することができなど、突起４５１の形成位置などに対する制約が少なく、設計の自由度が高い。
【００４８】
（その他の実施の形態）
図７（ａ）、（ｂ）は、本発明を適用した別のステッピングモータ１の反出力側を分解して示す分解斜視図、および軸受ホルダ８の出力側端面の構造を示す斜視図である。図８（ａ）ないし（ｃ）は、図７に示すステッピングモータ１の軸受ホルダ８の出力側端面の構成を示す平面図、縦断面図、および反出力側端面の構成を示す底面図である。なお、本形態のステッピングモータの基本的な構成は、図１〜図６を参照して説明したステッピングモータと同様であるため、共通する部分には同一の符号を付して図７および図８に図示することにして、それらの説明を省略する。
【００４９】
図７および図８に示すステッピングモータにおいても、軸受ホルダ８は、モータ軸線Ｌに直交する２方向の辺を備えた略矩形形状を備えており、軸受ホルダ８の出力側端面の外周側には、四角形状の辺に沿って、反出力側に凹む４つの係合凹部８２１、８２２、８２３、８２４が周方向に分割された状態に形成されている。このため、軸受ホルダ８の外周側において係合凹部８２１、８２２、８２３、８２４が占有する面積が狭く、かつ、４つに分割した係合凹部８２１、８２２、８２３、８２４の間付近の各々に４つの溶接予定領域８５を形成することができる。その他の構成は、図１〜図６を参照して説明したステッピングモータと同様であるため、説明を省略する。
【００５０】
なお、上記形態では、突起４５１、４５２が各々４つ形成されている例を説明したが、突起４５１、４５２を４つ以上形成してもよい。また、上記形態ではステッピングモータを例に説明したが、その他のモータに本発明を適用してもよい。
【図面の簡単な説明】
【００５１】
【図１】本発明を適用したステッピングモータの断面図である。
【図２】（ａ）、（ｂ）は、本発明を適用したステッピングモータの反出力側を分解して示す分解斜視図、および軸受ホルダ８の出力側端面の構造を示す斜視図である。
【図３】（ａ）ないし（ｃ）は、図１に示すステッピングモータの軸受ホルダの出力側端面の構成を示す平面図、縦断面図、および反出力側端面の構成を示す底面図である。
【図４】（ａ）ないし（ｃ）は、図１に示すステッピングモータのバネ部材を示す平面図、そのＩ−Ｉ線で切断した部分の縦断面図、および板バネ部の部分の断面図である。
【図５】図１に示すステッピングモータの出力側を分解して示す分解斜視図である。
【図６】（ａ）ないし（ｄ）は、図１に示すステッピングモータのモータ取り付け板を示す平面図、縦断面図、底面図、および側面図である。
【図７】（ａ）、（ｂ）は、本発明を適用した別のステッピングモータの反出力側を分解して示す分解斜視図、および軸受ホルダの出力側端面の構造を示す斜視図である。
【図８】（ａ）ないし（ｃ）は、図７に示すステッピングモータの軸受ホルダの出力側端面の構成を示す平面図、縦断面図、および反出力側端面の構成を示す底面図である。
【符号の説明】
【００５２】
１  ステッピングモータ
２  ロータ
３  ステータ
４Ａ  反出力側のステータ組
４Ｂ  出力側のステータ組
５  出力側軸受
６  モータ取り付け板
７  反出力側軸受
８  軸受ホルダ
９  バネ部材
２１  回転軸
２２  ロータマグネット
３０  ロータ配置穴
４１  外ステータコア
４２  コイル
４４  内ステータコア
４５１、４５２  突起（スポット溶接用の突起）
６５、８５  溶接予定領域
８０  貫通穴
８２１〜８２４  係合凹部
９０  板バネ部
９２１〜９２４  爪部
【図１】
0004646758.tif 000002
【図２】
0004646758.tif 000003
【図３】
0004646758.tif 000004
【図４】
0004646758.tif 000005
【図５】
0004646758.tif 000006
【図６】
0004646758.tif 000007
【図７】
0004646758.tif 000008
【図８】
0004646758.tif 000009